(57)【特許請求の範囲】
【請求項１】
長手方向に互いに離して配置され、短冊状に形成された複数の本体部と、
両端部が隣り合う前記本体部の端部にそれぞれ接続され、前記本体部よりも折り曲げやすく形成された折り曲げ部と、
前記本体部及び前記折り曲げ部の幅方向に対向する一対の端部の一方に接続され、前記本体部及び前記折り曲げ部の長手方向に延び、カーテン本体の端部に着脱自在に取り付けられる取り付け部と、
を備えるアコーディオン式カーテン用テープ。
【請求項２】
前記取り付け部及び前記カーテン本体の端部には、それぞれ互いに対して着脱自在に構成された面ファスナーが設けられ、
前記取り付け部は、前記取り付け部の前記面ファスナーを前記カーテン本体の前記面ファスナーに貼り付けることで前記カーテン本体の端部に取り付けられる、
請求項１に記載のアコーディオン式カーテン用テープ。
【請求項３】
長手方向に互いに離して配置され、短冊状に形成された複数の本体部と、
両端部が隣り合う前記本体部の端部にそれぞれ接続され、前記本体部よりも折り曲げやすく形成された折り曲げ部と、
前記本体部及び前記折り曲げ部の幅方向に対向する一対の端部の少なくとも一方に接続され、前記本体部及び前記折り曲げ部の長手方向に延び、カーテン本体の端部に着脱自在に取り付けられる取り付け部と、
を備え、
前記取り付け部及び前記カーテン本体の端部には、それぞれ互いに対して着脱自在に構成された面ファスナーが設けられ、
前記取り付け部は、前記取り付け部の前記面ファスナーを前記カーテン本体の前記面ファスナーに貼り付けることで前記カーテン本体の端部に取り付けられ、
前記取り付け部の前記面ファスナーは、前記本体部の下方に配置され、前記折り曲げ部の下方には配置されないように前記取り付け部に設けられている、
アコーディオン式カーテン用テープ。
【請求項４】
請求項１から３のいずれか１項に記載のアコーディオン式カーテン用テープと、
その端部に前記アコーディオン式カーテン用テープの前記取り付け部が着脱自在に取り付けられるカーテン本体と、
を備えるアコーディオン式カーテン。
【発明の詳細な説明】
【技術分野】
【０００１】
本発明は、アコーディオン式カーテン用テープ及びアコーディオン式カーテンに関する。
【背景技術】
【０００２】
工場や倉庫等において空間内の温度を維持したり、ゴミや塵の侵入を防いだりするためにカーテンレールに取り付けられるアコーディオン式カーテンが知られている。アコーディオン式カーテンは、ポリ塩化ビニル等の樹脂材料で形成され、蛇腹状に折り畳むことができる。例えば、特許文献１には、シート状のカーテン本体と、カーテン本体の端部に固定されたアコーディオン式カーテン用テープと、を備えるアコーディオン式カーテンが開示されている。
【先行技術文献】
【特許文献】
【０００３】
【特許文献１】特許第６７３５４０３号公報
【発明の概要】
【発明が解決しようとする課題】
【０００４】
特許文献１のアコーディオン式カーテンは、カーテン本体にアコーディオン式カーテン用テープを接着するだけで簡単に製造でき、有用である。とはいえ、消毒や清掃のために、樹脂材料で形成されたカーテン本体をアルコールで拭うと、樹脂材料の可塑剤が表面に溶け出し、べたつきが生じることがある。カーテンにべたつきが生じると、カーテンの互いに接触した部分同士が強固に付着し、カーテンを開いた状態に戻すことが困難になる。特許文献１のアコーディオン式カーテンでは、このような場合にアコーディオン式カーテン全体を交換する必要があり、コストの増加を招いていた。
【０００５】
本発明は、このような背景に基づいてなされたものであり、カーテン本体を簡単に交換することが可能なアコーディオン式カーテン用テープ及びアコーディオン式カーテンを提供することを目的とする。
【課題を解決するための手段】
【０００６】
上記目的を達成するために、本発明の第１の観点に係るアコーディオン式カーテン用テープは、
長手方向に互いに離して配置され、短冊状に形成された複数の本体部と、
両端部が隣り合う前記本体部の端部にそれぞれ接続され、前記本体部よりも折り曲げやすく形成された折り曲げ部と、
前記本体部及び前記折り曲げ部の幅方向に対向する一対の端部の一方に接続され、前記本体部及び前記折り曲げ部の長手方向に延び、カーテン本体の端部に着脱自在に取り付けられる取り付け部と、
を備える。
【０００７】
前記取り付け部及び前記カーテン本体の端部には、それぞれ互いに対して着脱自在に構成された面ファスナーが設けられ、
前記取り付け部は、前記取り付け部の前記面ファスナーを前記カーテン本体の前記面ファスナーに貼り付けることで前記カーテン本体の端部に取り付けられてもよい。
【０００８】
上記目的を達成するために、本発明の第２の観点に係るアコーディオン式カーテン用テープは、
長手方向に互いに離して配置され、短冊状に形成された複数の本体部と、
両端部が隣り合う前記本体部の端部にそれぞれ接続され、前記本体部よりも折り曲げやすく形成された折り曲げ部と、
前記本体部及び前記折り曲げ部の幅方向に対向する一対の端部の少なくとも一方に接続され、前記本体部及び前記折り曲げ部の長手方向に延び、カーテン本体の端部に着脱自在に取り付けられる取り付け部と、
を備え、
前記取り付け部及び前記カーテン本体の端部には、それぞれ互いに対して着脱自在に構成された面ファスナーが設けられ、
前記取り付け部は、前記取り付け部の前記面ファスナーを前記カーテン本体の前記面ファスナーに貼り付けることで前記カーテン本体の端部に取り付けられ、
前記取り付け部の前記面ファスナーは、前記本体部の下方に配置され、前記折り曲げ部の下方には配置されないように前記取り付け部に設けられている。
【００１０】
上記目的を達成するために、本発明の第３の観点に係るアコーディオン式カーテンは、
前記アコーディオン式カーテン用テープと、
その端部に前記アコーディオン式カーテン用テープの前記取り付け部が着脱自在に取り付けられるカーテン本体と、
を備える。
【発明の効果】
【００１１】
本発明によれば、カーテン本体を簡単に交換することが可能なアコーディオン式カーテン用テープ及びアコーディオン式カーテンを提供できる。
【図面の簡単な説明】
【００１２】
【図１】本発明の実施の形態に係るアコーディオン式カーテンの構成を示す正面図である。
【図２】図１のアコーディオン式カーテンを折り畳んだ様子を示す平面図である。
【図３】本発明の実施の形態に係るカーテン本体の構成を示す背面図である。
【図４】本発明の実施の形態に係るアコーディオン式カーテン用テープの構成を示す正面図である。
【図５】本発明の実施の形態に係るアコーディオン式カーテンをカーテンレールに吊り下げた様子を示す正面図である。
【図６】図５のアコーディオン式カーテン用テープからカーテン本体を取り外す様子を示す正面図である。
【発明を実施するための形態】
【００１３】
以下、本発明に係るアコーディオン式カーテン用テープ、カーテン本体及びアコーディオン式カーテンの実施の形態を、図面を参照しながら詳細に説明する。各図面においては、同一又は同等の部分に同一の符号を付す。
【００１４】
実施の形態では、アコーディオン式カーテン用テープ、カーテン本体及びアコーディオン式カーテンのうち、カーテンレールのランナーに設けられたフックに吊される側を「上側」、その反対側を「下側」のように表現する。また、「面ファスナー」との用語は、着脱が可能な２つのシートの組み合わせを意味する場合と、当該２つのシートの一つを意味する場合とがある。
【００１５】
図１は、実施の形態に係るアコーディオン式カーテンの構成を示す正面図であり、図２は、図１のアコーディオン式カーテンを折り畳んだ様子を示す平面図である。アコーディオン式カーテン１は、折り畳み可能なテープ１０と、折り畳み可能であって、上端部にテープ１０の下端部が着脱自在に取り付けられたカーテン本体２０と、を備える。
【００１６】
テープ１０の下端部は、カーテン本体２０の上端部と重なるようにカーテン本体２０の上端部に取り付けられている。この状態で、アコーディオン式カーテン１は、カーテンレールのランナーに設けられたフックに吊され、図１に示す開いた状態から図２に示す折り曲げられた状態に、又は図２に示す折り曲げられた状態から図１に示す開いた状態に開いたり閉じたりできる。
【００１７】
図３は、実施の形態に係るカーテン本体２０の構成を示す背面図である。カーテン本体２０は、折り畳み可能な矩形状のシートである。カーテン本体２０は、例えば、ポリ塩化ビニルのような樹脂材料で形成された樹脂製のシートや織物、編物等の生地である。カーテン本体２０は、その上端部に設けられ、長手方向に間隔を空けて配置された複数の面ファスナー２１を備える。面ファスナー２１は、例えば、接着剤による接着等の方法でカーテン本体２０に固定すればよい。
【００１８】
図１に戻り、テープ１０は、カーテン本体２０に取り付けられるアコーディオン式カーテン用テープの一例である。テープ１０は、長尺なテープ状の部品であり、例えば、塩化ビニル等の樹脂材料で形成されている。テープ１０は、長手方向に一定の間隔で交互に折り曲げ、蛇腹状に折り畳めるように構成され、カーテン本体２０に取り付けられると、カーテン本体２０の折れ曲がる位置を規制する。
【００１９】
テープ１０は、短冊状に形成され、テープ１０の長手方向に互いに離して配置されている複数の本体部１１と、両端部が隣り合う本体部１１の端部にそれぞれ接続され、本体部１１よりも折り曲げやすく形成された複数の折り曲げ部１２と、本体部１１の下端部に接続され、テープ１０の長手方向に延び、カーテン本体２０の上端部に対して着脱自在に取り付けられる取り付け部１３と、を備える。
【００２０】
各本体部１１は、簡単に折り曲げられない程度の剛性を有する。各本体部１１は、同一形状であることが好ましい。各本体部１１は、その上端部がテープ１０の上端部に接するように配置され、本体部１１の幅がテープ１０の幅よりも小さくなるように形成されている。各本体部１１は、カーテンレールのランナーに設けられたフックに係止可能な貫通孔１４と、貫通孔１４の上方に配置され、本体部１１の上端部に設けられた切り欠き１５と、を備える。
【００２１】
貫通孔１４には、フックが係止された際にカーテン本体２０の重み等で破損しないように補強用リングが設けられてもよい。補強用リングは、例えば、金属製のリングである。
【００２２】
図４は、実施の形態に係るテープ１０の構成を示す正面図である。切り欠き１５は、第１の切り欠き１５ａと、第２の切り欠き１５ｂと、を備える。第１の切り欠き１５ａは、下側から上側に向かって徐々に幅が広がるように台形状に形成されている。本体部１１のうち第１の切り欠き１５ａの両側の部分が斜めに切り欠かれるため、本体部の両側部が自重で倒れることを防止できる。
【００２３】
第２の切り欠き１５ｂは、第１の切り欠き１５ａの底面部から下方に延び、細長い矩形状に形成されている。第２の切り欠き１５ｂは、貫通孔１４にカーテンレールのランナーに設けられたフックを係止させたとき、フックが収容されるように形成されている。
【００２４】
図５は、実施の形態に係るアコーディオン式カーテン１をカーテンレール２に吊り下げた様子を示す正面図である。アコーディオン式カーテン１をカーテンレール２のフック３に吊り下げると、本体部１１に切り欠き１５が設けられているため、図５に示すように、本体部１１及び折り曲げ部１２の上部がカーテンレール２の幅方向に対向する両側（図５のカーテンレール２の手前側及び奥側）からカーテンレール２に交互に覆い被さるように配置される。
【００２５】
また、第２の切り欠き１５ｂにフック３が収容されるため、アコーディオン式カーテン１を上側に引き上げることができる。これによりアコーディオン式カーテン１とカーテンレール２との間の隙間を小さくし、アコーディオン式カーテン１により仕切られた空間同士での空気の出入りを抑制できる。
【００２６】
図４に戻り、折り曲げ部１２は、本体部１１よりも簡単に折り曲げることができるように、例えば、本体部１１よりも薄く形成されている。各折り曲げ部１２は、同一形状であることが好ましい。各折り曲げ部１２の長さは、カーテン本体２０に取り付けられたテープ１０の位置ずれ、アコーディオン式カーテン１の折れ畳まれ方等を考慮して、アコーディオン式カーテン１が取り付けられるカーテンレールのランナーの幅と略同一であるか、ランナーの幅よりも小さいことが好ましい。なお、ランナーの幅は、カーテンレールの長手方向及び上下方向のそれぞれに垂直な向きの長さのことである。
【００２７】
取り付け部１３は、各本体部１１の下端部に接続され、カーテン本体２０と着脱自在に取り付けられる。取り付け部１３は、テープ１０の長手方向に間隔を空けて配置され、カーテン本体２０に固定された各面ファスナー２１に対してそれぞれ着脱自在に構成された複数の面ファスナー１３ａを備える。各面ファスナー１３ａは、各本体部１１の下方に設けられ、各折り曲げ部１２の下方には設けられない。これは、面ファスナー１３ａが折り曲げ部１２の折り曲げを妨げないためである。
【００２８】
面ファスナー１３ａ及び面ファスナー２１は、例えば、一方がフック状の起毛を有する面ファスナーであり、他方がループ状の起毛を有する面ファスナーである。面ファスナー１３ａ及び面ファスナー２１としては、公知の面ファスナーのいずれを用いてもよい。
【００２９】
面ファスナー１３ａ及び面ファスナー２１は、テープ１０の下端部をカーテン本体２０の上端部に重ね合わせたときに面ファスナー１３ａと面ファスナー２１とが一致するように、取り付け部１３及びカーテン本体２０に固定されている。面ファスナー１３ａの数と面ファスナー２１の数とは同一である。
【００３０】
面ファスナー１３ａ及び面ファスナー２１の縦方向及び横方向の長さは、カーテン本体２０の重さ、面ファスナー１３ａ及び面ファスナー２１の数を考慮して設定される。面ファスナー１３ａ及び面ファスナー２１の縦方向の長さは、例えば、３ｃｍ〜１０ｃｍの範囲内であり、横方向の長さは、例えば、１０ｃｍ〜３０ｃｍの範囲内である。
【００３１】
テープ１０の製造方法としては、任意の手法を用いればよい。例えば、本体部１１と折り曲げ部１２とは、始めから一体に成形してもよく、それぞれ別体で成形した後に、接着、熱圧着等の手段で一体化してもよい。また、長尺なテープ上の本体部１１に等間隔で短冊状のシート又はプレートを載せ、接着、熱圧着等の手段で両者を一体化することで、本体部１１と折り曲げ部１２とを形成してもよい。そして、面ファスナー１３ａは、例えば、接着等の方法で取り付け部１３に固定すればよい。
以上が、テープ１０の構成である。
【００３２】
次に、カーテンレール２に吊されたアコーディオン式カーテン１のカーテン本体２０を交換する方法を説明する。以下、図５に示すように、カーテンレール２のフック３にアコーディオン式カーテン１のテープ１０が吊り下げられているものとする。
【００３３】
まず、図６に示すようにテープ１０からカーテン本体２０を取り外す。具体的には、テープ１０の面ファスナー１３ａからカーテン本体２０の面ファスナー２１を引きはがせばよい。このとき、テープ１０の貫通孔１４は、カーテンレール２のフック３に係止されたままとする。
【００３４】
次に、図５に示すように、新しいカーテン本体２０をテープ１０に取り付け、元の状態に戻す。具体的には、テープ１０の面ファスナー１３ａに新しいカーテン本体２０の面ファスナー２１を取り付ければよい。上記の方法では、テープ１０を再利用できると共に、テープ１０の貫通孔１４を再度フック３に係止させる工程を省くこともできる。
以上が、アコーディオン式カーテン１のカーテン本体２０を交換する方法の一連の流れである。
【００３５】
以上説明したように、実施の形態に係るテープ１０は、本体部１１及び折り曲げ部１２の幅方向に対向する一対の端部の少なくとも一方に接続され、本体部１１及び折り曲げ部１２の長手方向に延び、カーテン本体２０の端部に着脱自在に取り付けられる取り付け部１３を備える。このため、テープ１０をカーテンレール２のフック３に取り付けたまま、アコーディオン式カーテン１のカーテン本体２０を簡単に交換できる。
【００３６】
本発明は上記の実施形態に限られず、以下に述べる変形も可能である。
【００３７】
（変形例）
上記実施の形態では、カーテンレール２のランナーに設けられたフック３にアコーディオン式カーテン１を吊り下げるために本体部１１に貫通孔１４が設けられていたが、本発明はこれに限られない。例えば、本体部１１に下側に開口を有する袋状のカバーを取り付け、この袋状のカバーにフック３を係止させてもよい。
【００３８】
上記実施の形態では、テープ１０の本体部１１はテープ１０の一方の面から突出していたが、本発明はこれに限られない。例えば、本体部１１をテープ１０の両面から対向するように突出させてもよく、テープ１０の両面から交互に突出させてもよい。
【００３９】
上記実施の形態では、折り曲げ部１２は、折り曲げやすいように本体部１１に比べて薄く形成されていたが、本発明はこれに限られない。例えば、折り曲げ部１２を、本体部１１を構成する材料よりも可撓性のある材料で形成してもよい。この場合、本体部１１と折り曲げ部１２とが面一となるようにテープ１０を成形してもよい。
【００４０】
上記実施の形態では、取り付け部１３に複数の面ファスナー１３ａが設けられ、各面ファスナー１３ａは、各本体部１１の下方に設けられていたが、本発明はこれに限られない。例えば、取り付け部１３には、取り付け部１３の長手方向に延びる１本の面ファスナーを設けてもよい。
【００４１】
上記実施の形態では、カーテン本体２０の上端部にはテープ１０の各面ファスナー１３ａに対応する位置に複数の面ファスナー２１が設けられていたが、本発明はこれに限られない。例えば、カーテン本体２０の上端部には、カーテン本体２０の上端部に沿って延びる１本の面ファスナーを設けてもよい。
【００４２】
上記実施の形態では、取り付け部１３は面ファスナー１３ａを備えていたが、本発明はこれに限られない。取り付け部１３とカーテン本体２０とを着脱自在に取り付けるための手段としては、例えば、鍵ホック、スナップボタンのような点ファスナー、線ファスナー等を用いてもよい。
【００４３】
上記実施の形態では、取り付け部１３はテープ１０の下端部に設けられていたが、本発明はこれに限られない。例えば、取り付け部１３をテープ１０の上端部に設けてもよい。この場合、取り付け部１３の面ファスナー１３ａをカーテン本体２０の下端部に設けられた面ファスナー２１に取り付けることになるため、本体部１１に貫通孔１４を形成する必要はない。
【００４４】
上記実施の形態では、第１の切り欠き１５ａは下側から上側に向かって徐々に幅が広がるように台形状に形成され、第２の切り欠き１５ｂは矩形状に形成されていたが、本発明はこれに限られない。第１の切り欠き１５ａ及び第２の切り欠き１５ｂはいかなる形状であってもよく、例えば、第１の切り欠き１５ａは矩形状に形成されていてもよく、第２の切り欠き１５ｂは台形状に形成されていてもよい。
【００４５】
上記実施の形態では、１本のテープ１０をカーテン本体２０の上端部に取り付けていたが、本発明はこれに限られない。例えば、本体部と、本体部よりも折り曲げやすい折り曲げ部とが長手方向に延びるように交互に配置されたテープをカーテン本体２０の下端部や中間部に追加してもよい。
【００４６】
上記実施の形態では、カーテン本体２０は矩形状であったが、本発明はこれに限られない。例えば、カーテン本体２０は、その用途や設置場所等に応じて任意の形状であってもよく、例えば、三角形、半円形等であってもよい。
【００４７】
上記実施の形態は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また、特許請求の範囲に記載した発明と均等な発明も本発明に含まれる。
【符号の説明】
【００４８】
１      アコーディオン式カーテン
２      カーテンレール
３      フック
１０    テープ
１１    本体部
１２    折り曲げ部
１３    取り付け部
１３ａ  面ファスナー
１４    貫通孔
１５    切り欠き
１５ａ  第１の切り欠き
１５ｂ  第２の切り欠き
２０    カーテン本体
２１    面ファスナー
【要約】
【課題】カーテン本体を簡単に交換することが可能なアコーディオン式カーテン用テープ、カーテン本体及びアコーディオン式カーテンを提供する。
【解決手段】テープ１０は、長手方向に互いに離して配置され、短冊状に形成された複数の本体部１１と、両端部が隣り合う本体部１１の端部にそれぞれ接続され、本体部１１よりも折り曲げやすく形成された折り曲げ部１２と、本体部１１及び折り曲げ部１２の幅方向に対向する一対の端部の少なくとも一方に接続され、本体部１１及び折り曲げ部１２の長手方向に延び、カーテン本体２０の端部に着脱自在に取り付けられる取り付け部１３と、を備える。
【選択図】図５【図１】
0006868740.tif 000002
【図２】
0006868740.tif 000003
【図３】
0006868740.tif 000004
【図４】
0006868740.tif 000005
【図５】
0006868740.tif 000006
【図６】
0006868740.tif 000007